(57)【要約】【課題】吸盤を被吸着面に密着させた状態で吸盤中央部分を引き上げて強制的に真空状態を作り出す際に、吸盤と被吸着面との密着度を向上させると共に、吸盤による吸着力を被吸着面や吸盤の状況に応じて変更できるスタンド装置を提供する。【解決手段】吸盤２０１には上面中央に吸盤用支持軸２０２が螺合部２０３を介して垂立され、スタンドカバー３０１には中央に吸盤用支持軸２０２が弾性体４０１を介して連結する連結用柱３０２を設け、吸盤用支持軸２０２には支軸４０３が嵌挿する貫通孔２０５を形成し、支軸４０３にはこれを上方に移動させてロックする吸引ロック機構４０４を連結させ、螺合部２０３によって吸盤２０１と吸盤用支持軸２０２との相対的な位置を変更し、吸盤用支持軸２０２でもって吸盤２０１を被吸着面に押し付けた後に引き上げてロックし、引き上げられる吸盤２０２の距離を変更して吸着力を任意に選定するように構成した。【選択図】図５
2011137508.tif 000002
【特許請求の範囲】
【請求項１】
設置箇所に吸着される吸着部と、該吸着部と一体に連結されたスタンドと、該吸着部の設置箇所への吸着状態を着脱自在に制御する操作部とからなり、装着体を装着するスタンド装置であって、
前記吸着部は、弾性材で形成された吸着面を有する吸盤と、該吸盤の上面中央に垂立された支持軸と、該支持軸を該吸盤に螺合して連結するための螺合部と、該支持軸の中心軸と直行する方向に貫通した貫通孔とからなり、
前記スタンドは、前記吸着部を収納し外周の下縁を前記吸盤の最外周面に対抗させて形成したスタンドカバーと、該スタンドカバーの中央頂部に設けられた連結用柱と、該連結用柱内に形成された前記支持軸を遊嵌する凹部とからなり、
前記操作部は、前記支持軸の頂面と前記凹部の底部との間に介挿された弾性体と、前記連結用柱の前記貫通孔に対応する側壁に該貫通孔よりも大きく切り欠かれて形成された切り欠き部と、前記貫通孔に嵌通しその両端が前記切り欠き部を介して前記連結用柱の側面上に突出して設けられた支軸と、該支軸に回動自在に軸支され該支軸を上下方向に移動させて上端でロックするカムを有する吸引ロック機構と、
からなり、前記吸盤と前記支持軸とは、その相対的な位置が前記螺合部により変更されることを特徴とするスタンド装置。
【発明の詳細な説明】
【技術分野】
【０００１】
本発明は、設置箇所に吸着される吸盤からなる吸着部と、吸着部と一体に連結され電子機器などの装着体を装着するスタンドと、吸着部の設置箇所への吸着状態を着脱自在に制御する操作部とからなるスタンド装置に関し、特に、装着体を車両などに設置して使用する場合に適用されるスタンド装置に関するものである。
【背景技術】
【０００２】
近年、車載用電子機器として音響・映像再生装置機能やデジタル放送受信機能を内蔵したナビゲーション装置が普及している。これらの車載用電子機器は、装着体として車内のダッシュボードなどに着脱自在に取付けて設置したスタンド装置に装着されている。このスタンド装置は車載用電子機器の使用に適した箇所に設置でき、しかも車載用電子機器をスタンド装置から取外した携帯型として使用できるなどと極めて好都合なものである。
【０００３】
この種のスタンド装置としては、例えば、下記の特許文献１（特開２００８−２３２２５９号公報）に示す従来技術が提案されている。この従来のスタンド装置は、車内のダッシュボードなどの設置箇所に吸盤を用いて着脱自在に固定するものである。吸盤は平らな円盤状であって、吸盤中央に中心軸が突出して設けられている。また吸盤は円形の取付け台の下側に配置され、中心軸は取付け台の上方に突出している。そして、中心軸は取付け台の上部に設けた変位機構によって上下動されるように構成されている。
【０００４】
スタンド装置を設置箇所に設置する場合は、スタンド装置を押し下げて吸盤下面の吸着面と設置箇所の被吸着面との間を密着させる。このとき、吸盤の背面外周には取付け台の外周部分が当接している。その後の操作としては変位機構によって中心軸を上方に変位させる。この操作によって吸盤の中央部分は被吸着面から離れる方向に引き離される。その結果、吸着面と被吸着面との間は真空状態となり、被吸着面に対する吸盤の密着度が高められて安定した固定状態が得られる。
【０００５】
変位機構は、中心軸の上端寄りに設けた軸と、この軸を中心として回動するハンドルと、ハンドルと一体に設けたカムとから構成されている。そして、変位機構は、ハンドルを垂立させているときには、カムによって中心軸を下方に位置させ吸盤を平面状態としている。一方、変位機構は、ハンドルを回動させて水平にするとカムによって中心軸を上方に変位させ吸盤の中央部を吸引してその状態をロックするようになっている。
【０００６】
このような構成の従来のスタンド装置は、吸盤によって任意の箇所に着脱自在に固定される。そして、吸盤の吸着面と設置箇所の被吸着面との間に強制的に真空状態が作られて固定状態が確実に維持できる。一方、スタンド装置を設置箇所から離脱する場合は、ハンドルを元に戻すことにより比較的容易に吸着状態を解除することができる。
【先行技術文献】
【特許文献】
【０００７】
【特許文献１】特開２００８−２３２２５９号公報（段落［００１２］〜［００１４］、図９）
【発明の概要】
【発明が解決しようとする課題】
【０００８】
しかしながら、従来のスタンド装置においては、設置箇所を任意に選択できるため被吸着面の状況が同一とは限らない。そのため、被吸着面が柔らかい素材で形成されていると、スタンド装置を取り外す際に吸着力によって被吸着面に変形を生じさせてしまう。このような被吸着面の変形は、スタンド装置が同一箇所に長時間にわたって設置されることが多いので多発しやすいものであり、凹凸の著しい吸着面となってしまい、吸着面の平滑性が失われて再度の吸着を確実に得ることができないという問題点があった。また、被装着面が変形するだけでなく、塗装処理などを施された面を損傷させてしまうという問題点があった。
【０００９】
従って、本発明は、上記の問題点を解消することを課題とし、スタンド装置の設置箇所が吸着力によって変形されるなどの弊害を受けないスタンド装置を提供することを目的とするものである。
【課題を解決するための手段】
【００１０】
前記課題を解決するために、本願の請求項１にかかるスタンド装置の発明は、
設置箇所に吸着される吸着部と、該吸着部と一体に連結されたスタンドと、該吸着部の設置箇所への吸着状態を着脱自在に制御する操作部とからなり、装着体を装着するスタンド装置であって、
前記吸着部は、弾性材で形成された吸着面を有する吸盤（例えば下記実施例では、吸盤２０１）と、該吸盤の上面中央に垂立された支持軸（例えば下記実施例では、吸盤用支軸２０２）と、該支持軸を該吸盤に螺合して連結するための螺合部（例えば下記実施例では、螺合部２０３）と、該支持軸の中心軸と直行する方向に貫通した貫通孔（例えば下記実施例では、貫通孔２０５）とからなり、
前記スタンドは、前記吸着部を収納し外周の下縁を前記吸盤の最外周面に対抗させて形成したスタンドカバー（例えば下記実施例では、スタンドカバー３０１）と、該スタンドカバーの中央頂部に設けられた連結用柱（例えば下記実施例では、連結用柱３０２）と、該連結用柱内に形成された前記支持軸を遊嵌する凹部（例えば下記実施例では、凹部３０３）とからなり、
前記操作部は、前記支持軸の頂面と前記凹部の底部との間に介挿された弾性体（例えば下記実施例では、弾性体４０１）と、前記連結用柱の前記貫通孔に対応する側壁に該貫通孔よりも大きく切り欠かれて形成された切り欠き部（例えば下記実施例では、切り欠き部４０２）と、前記貫通孔に嵌通しその両端が前記切り欠き部を介して前記連結用柱の側面上に突出して設けられた支軸（例えば下記実施例では、支軸４０３）と、該支軸に回動自在に軸支され該支軸を上下方向に移動させて上端でロックするカムを有する吸引ロック機構（例えば下記実施例では、吸引ロック機構４０４）と、
からなり、前記吸盤と前記支持軸とは、その相対的な位置が前記螺合部により変更されることを特徴とする。
【発明の効果】
【００１１】
本発明のスタンド装置は、次に示すような優れた効果を奏する。
【００１２】
すなわち、請求項１に係る発明においては、吸盤の上面中央に支持軸が螺合部によって連結して垂立され、支持軸には該支持軸の中心軸と直行する方向に貫通した貫通孔が設けられている。スタンドは、外周の下縁を吸盤の最外周面に対抗させて形成したスタンドカバーと、スタンドカバーの中央頂部に設けられた連結用柱と、連結用柱内に形成された支持軸を遊嵌する凹部とからなる。そして、操作部は、支持軸の頂面と凹部の底部との間に介挿された弾性体と、連結用柱の貫通孔に対応する側壁に該貫通孔よりも大きく切り欠かれて形成された切り欠き部と、貫通孔に嵌通しその両端が切り欠き部を介して連結用柱の側面上に突出して設けられた支軸と、支軸に回動自在に軸支され該支軸を上下方向に移動させて上端でロックするカムを有する吸引ロック機構とからなる。
【００１３】
このような構成によれば、支持軸は吸盤に螺合部によって連結されており吸盤との相対的な位置を変更することができるので、吸盤の被吸着面から離れる距離を変更して吸着力を増減することができる。そのため、被吸着面が吸着力によって変形や破損などの障害を受ける場合には、このような障害を生じない小さな吸着力の選定が可能となる。また、被吸着面が傾いている場合、吸盤が劣化している場合など、通常よりも大きな吸着力を必要とする場合には吸着力を増大させることによってスタンド装置を確実に設置できる。その結果、吸盤による吸着力を簡単な操作で被吸着面や吸盤の状況に応じて変更し設置できるスタンド装置が得られる。
【００１４】
しかも、吸盤を被吸着面に密着させるために、スタンド装置が設置箇所に置かれた状態で連結用柱を押し下げ、弾性体を介して吸盤用支持軸を押し下げて吸盤の中央部分を押圧し、吸盤の中央部分を被吸着面に強く押し付ける。同時に、スタンドカバーも下降するのでスタンドカバーの外周の下縁が吸盤の最外周縁を直接に押圧する。従って、吸盤全体が被吸着面に強力に密着し空気の排除を確実に行うことができる。その後、操作部の吸引ロック機構によってカムを回動させて支軸を上動させ、吸盤用支持軸をスタンドカバーと独立に上方に変位させ、吸盤中央部分を被吸着面から離すように引き上げてその状態をロックすることができる。すなわち、吸盤は中央部分も含めて全体的に被吸着面に確実に押し付けた状態で、中央部分が引き離されて真空状態が形成されるので、吸盤を被吸着面に強力に密着するスタンド装置が得られる。
【図面の簡単な説明】
【００１５】
【図１】本発明の一実施例に係るスタンド装置の斜視図であり、図１（ａ）はスタンド装置に携帯型ナビゲーション装置を取り付けた状態を前面から見た斜視図であり、図１（ｂ）はスタンド装置から操作部カバーを外した状態を背面から見た斜視図である。
【図２】図１におけるスタンド装置から連結アーム、被装着部、固定レバーなどを省き、吸引ロック機構を取り外した状態を示す斜視図である。
【図３】図１におけるスタンド装置から吸着部のみを取り出した状態を示す側面図である。
【図４】図１におけるスタンド装置から連結アームなどを省き、使用する前の状態を示す側面図である。
【図５】図４におけるスタンド装置をＡ−Ａ線で切断した断面図である。
【図６】図４におけるスタンド装置が設置箇所上で結合用柱を押し込んだ状態を示す側面図である。
【図７】図６におけるスタンド装置をＢ−Ｂ線で切断した断面図である。
【図８】図６におけるスタンド装置がレバーを回動して吸着を始めた状態を示す側面図である。
【図９】図８におけるスタンド装置をＣ−Ｃ線で切断した断面図である。
【図１０】図８おけるスタンド装置がレバーをさらに回動して吸着ロックされた状態を示す側面図である。
【図１１】図１０におけるスタンド装置をＤ−Ｄ線で切断した断面図である。
【図１２】図１におけるスタンド装置から連結アームなどを省き、吸着力を減少させて使用する前の状態を示す側面図である。
【図１３】図１２におけるスタンド装置をＥ−Ｅ線で切断した断面図である。
【図１４】図１２におけるスタンド装置がレバーを回動して吸着ロックされた状態を示す側面図である。
【図１５】図１４におけるスタンド装置をＦ−Ｆ線で切断した断面図である。
【図１６】図１におけるスタンド装置から連結アームなどを省き、吸着力を増大させて使用する前の状態を示す側面図である。
【図１７】図１６におけるスタンド装置をＧ−Ｇ線で切断した断面図である。
【図１８】図１６におけるスタンド装置がレバーを回動して吸着ロックされた状態を示す側面図である。
【図１９】図１８におけるスタンド装置をＨ−Ｈ線で切断した断面図である。
【発明を実施するための形態】
【００１６】
以下、本発明の具体例を実施例及び図面を用いて詳細に説明する。但し、以下に示す実施例は、本発明の技術的思想を具体化するためのスタンド装置を例示するものであって、本発明をこのスタンド装置に特定することを意図するものでなく、特許請求の範囲に含まれるその他の実施形態のスタンド装置にも等しく適用し得るものである。
【実施例】
【００１７】
図１は、本発明の一実施例に係るスタンド装置の斜視図であり、図１（ａ）はスタンド装置に携帯型ナビゲーション装置を取り付けた状態を前面から見た斜視図であり、図１（ｂ）はスタンド装置から操作部カバーを外した状態を背面から見た斜視図である。
【００１８】
本実施例に係るスタンド装置１０は、図１に示すように、装着体である電子機器の携帯型ナビゲーション装置５０を車両に搭載するために用いられるものであり、設置箇所に吸盤によって吸着される吸着部２０と、吸着部２０と一体に連結されるスタンド３０と、吸着部２０の設置箇所への吸着を着脱自在に制御する操作部４０とで構成されている。
【００１９】
携帯型ナビゲーション装置５０は、扁平で矩形の筐体５０１と、筐体５０１の前面にタッチパネル式の表示操作面５０２と、筐体５０１の背面中央部に設けられたスタンド装置１０を装着するための装着部（図示せず）とを備え、筐体５０１内には、ナビゲーション機能、音響・映像再生機能、デジタル放送受信機能、電池などが内蔵されている。携帯型ナビゲーション装置５０は、車両に搭載されたときには車両から電力供給を受けて使用され、車両外で携帯されたときには内蔵する電池から電力の供給を受けて使用される。
【００２０】
図２は、図１におけるスタンド装置１０から連結アーム、被装着部、固定レバーなどを省き、吸引ロック機構を取り外した状態を示す斜視図であり、図３は、図１におけるスタンド装置１０から吸着部のみを取り出した状態を示す側面図である。
【００２１】
吸着部２０は、図２、図３で示すように、円形の弾性材からなり下面において中央部分が緩やかに若干凹んでいる吸盤２０１と、下端が吸盤２０１の上面の中央に固着され吸盤２０１の上方に向かって垂立して配された吸盤用支持軸２０２と、吸盤用支持軸２０２を吸盤２０１に螺合して連結する螺合部２０３と、吸盤２０１の縁に取付けられた突出片２０４から構成されている。吸盤用支持軸２０２には、吸盤用支持軸２０２の中心軸と直行する方向に貫通孔２０５が穿設されている。
【００２２】
螺合部２０３は、図５に示すように、吸盤２０１を支持する支持体２０６と、支持体２０６に形成された雌ねじ２０７と、吸盤用支持軸２０２の下端外周に形成された雌ねじ２０７と螺合する雄ねじ２０８とから構成されている。
【００２３】
スタンド３０は、図１〜図５で示すように、吸着部２０を収納する凸球面状のスタンドカバー３０１と、スタンドカバー３０１の中央頂部上面に設けられた連結用柱３０２と、連結用柱３０２に吸盤用支持軸２０２の上部分が遊嵌し吸着部２０とスタンド３０とを一体に連結するように形成された凹部３０３（図５参照）と、スタンドカバー３０１上面に設けられた取付け部３０４と、基部分が取付け部３０４に上下に回動可能に取付けられた連結アーム３０５（図１（ｂ）参照）と、連結アーム３０５の先端に設けられた携帯型ナビゲーション装置５０を着脱自在に装着する被装着部３０６（図１（ｂ）参照）と、取付け部３０４の一側面に設けられた連結アーム３０５の上下回動を固定するための固定レバー３０７（図１（ｂ）参照）とから構成されている。そして、スタンドカバー３０１は、吸盤２０１と同様に円形状になっておりその外周の下縁３０８が吸盤２０１上面の最外周面２０９に対抗するよう形成されている。
【００２４】
操作部４０は、図２、図５で示すように、吸盤用支持軸２０２の頂面と凹部３０３の底部との間に介挿されたコイルバネからなる弾性体４０１と、吸盤用支持軸２０２に穿設された貫通孔２０５に対応する連結用柱３０２の側壁に上下方向に大きく切り欠かれて形成された切り欠き部４０２と、貫通孔２０５に遊嵌してその両端を切り欠き部４０２を介して連結用柱３０２の側面上に突出して設けられた支軸４０３と、支軸４０３に結合された吸引ロック機構４０４とから構成されている。なお、操作部４０は、図１（ａ）で示すように、着脱可能な操作部カバー４０５によって覆われている。
【００２５】
吸引ロック機構４０４は、支軸４０３に回動自在に軸支して結合されたカム４０６と、カム４０６を回動するためのレバー４０７とから構成されている。図８、図１０に示すように、図６で示すレバー４０７が垂立した状態から矢印Ｘで示す方向に回動させると、図１０、図１１に示すように、カム４０６がスタンドカバー３０１の上面３０９に当って支軸４０３を上方に変位させるようになっている。そして、カム４０６は最も突出した頂部４０８が上面３０９に当たった状態で平坦周辺部４０９が上面３０９に当接する位置まで回動されてその位置でロックするようになっている。
【００２６】
ロック状態にある吸引ロック機構４０４は、図１０及び図１１に示すように、支軸４０３が吸盤用支持軸２０２を上方に大きく変位させ、吸盤２０１の中央部分を大きく吸引するようになっている。この状態において、カム４０６は頂部４０８が上面３０９を通過し、平坦周辺部４０が上面３０９に当接した回動位置にあり、弾性体４０１の弾発力によってロック機能を達成するようになっている。
【００２７】
次に、上述した本実施例のスタンド装置１０の設置方法について説明する。この設置に際しては、操作部４０によって行われる２つの操作手順を踏む。
【００２８】
最初の操作手順は、図４、図５で示すスタンド装置１０を設置すべき箇所に置き、連結用柱３０２の頂面を矢印Ｙで示す方向に押してスタンドカバー３０１を被吸着面（設置面）方向に変位させる。その結果、図６に示すように、スタンドカバー３０１周縁の下縁３０８が吸盤２０１上面の最外周面２０９に当接する。同時に、図にて示すように、弾性体４０１を形成するスプリングは、連結用柱３０２を押し下げることにより圧縮されてその弾発力でもって吸盤用支持軸２０２を押し下げる。そのため、吸盤２０１の中央部分が突出して被吸着面に密着してその部分の空気を排除すると共に、吸盤２０１の周縁の下面が被吸着面に強く密着される。
【００２９】
なお、図４、図５では、連結用柱３０２を押し下げる動作、及び、吸盤２０１の中央部分が被吸着面に密着してその部分の空気を排除する動作について、説明を分かり易くするためにスタンドカバー３０１周縁の下縁３０８と吸盤２０１上面の最外周面２０９とが大きく開いた状態で図示しているが、実際のスタンド装置１０では見た目上、ここまでスタンドカバー３０１周縁の下縁３０８と吸盤２０１上面の最外周面２０９とが大きく開いたものではない。
【００３０】
次の操作手順は、図８、図９に示すように、連結用柱３０２を押し下げた状態で、レバー４０７を矢印Ｘで示す方向に押し下げてカム４０６を回動させ、カム４０６の最も突出した頂部４０８をスタンドカバー３０１の上面３０９を通過させる。その結果、図１０、図１１で示すように、カム４０６の回動中心の支軸４０３が変位して吸盤用支持軸２０２を上方に大きく変位させる。従って、吸盤２０１の中央部分が被装着面から離れる方向に強制的に変位される。そして、図１１で示すように、ロック機構４０４はレバー４０７を最大に回動させ、平坦周辺部４０９を上面３０９に当接させた位置においてロックされる。
【００３１】
このとき、支軸４０３は大きく切り欠かれた切り欠き部４０２を通して連結用柱３０２の側面に突出し、吸引ロック機構４０４を構成するカム４０６によって軸支されているので、支軸４０３の上下の動作が連結用柱３０２の上下する位置に制限されることなく独立に行われる。
【００３２】
このような操作手順を経過した状態では、吸盤２０１の中央部分と設置箇所の被吸着面との間が真空状態とされ、吸盤２０１の被吸着面に対する密着度が高められる。そして、この状態は吸盤２０１の周縁がスタンドカバー３０１によって被吸着面に強く押し付けられているので、真空状態が永久的に維持される。その結果、スタンド装置１０は所望の設置箇所に固定して設置され、携帯型ナビゲーション５０を装着することができる。
【００３３】
スタンド装置１０を設置箇所から離脱させる場合は、レバー４０７を矢印Ｘと反対方向に回動させ、カム４０６の頂部４０８が上面３０９を通過して元の位置に戻るように操作する。その結果、ロック状態が解除されるので、吸盤用支持軸２０２は上方への変位状態が解除される。そして、吸盤２０１の中央部分は吸引されている状態から解除される。ロック解除と同時に、連結用柱３０２は弾性体４０１の弾発力によって上昇する。そして、スタンドカバー３０１も上昇して下縁３０８は吸盤２０１の最外周面２０９から離れる。その後は、突出片２０４を持って吸盤２０１を被吸着面から引き剥がすことにより、スタンド装置１０を設置箇所から取外すことができる。
【００３４】
次に、図１２〜図１９に基づき吸盤２０１の被吸着面に対する吸着力を変更する場合について説明するが、図１２〜図１５は吸着力を減少させる場合を示し、図１６〜図１９は吸着力を増大させる場合を示す。
【００３５】
吸着力を減少させる場合は、まず、図１２、図１３で示すように、雄ねじ２０８を雌ねじ２０７から抜き出す方向に吸盤２０１又はスタンド３０を回動させる。その結果、吸盤２０１と吸盤用支持軸２０２との相対的な位置が離れる。
【００３６】
このように吸盤２０１と吸盤用支持軸２０２との相対的な位置が離されたスタンド装置１０を設置すべき箇所に置き、連結用柱３０２の頂面を矢印Ｙで示す方向に押してスタンドカバー３０１を被吸着面（設置面）方向に変位させる。その結果、スタンドカバー３０１周縁の下縁３０８は吸盤２０１上面の最外周面２０９に当接する。同時に、弾性体４０１を形成するスプリングは、連結用柱３０２を押し下げることにより圧縮されてその弾発力でもって吸盤用支持軸２０２を押し下げる。そのため、吸盤２０１が被吸着面に密着してその部分の空気を排除すると共に、吸盤２０１の周縁の下面が設置面に強く密着される。
【００３７】
その後、図１４、図１５に示すように、連結用柱３０２を押し込んだ状態で、レバー４０７を押し下げてカム４０６を回動させる操作を行う。この操作によって、カム４０６の回動中心の支軸４０３が上方に変位して吸盤用支持軸２０２を上方に変位させる。従って、吸盤２０１の中央部分が被装着面から離れる方向に強制的に変位され吸引状態となる。そして、吸引ロック機構４０４はレバー４０７を最大に回動させることによりロック状態となる。
【００３８】
吸盤２０１の中央部分が被吸着面から強制的に離される距離は、吸盤２０１と吸盤用支持軸２０２との相対的な位置が予め離れる方向に設定されているため少ない。そのため、吸引力が小さくなり吸盤２０１による吸着力は通常の場合よりも減少する。
【００３９】
一方、吸着力を増大させる場合は、図１６、図１７に示すように、雄ねじ２０８を雌ねじ２０７にねじ込む方向に吸盤２０１又はスタンドカバー３０１を回動させる。その結果、吸盤２０１と吸盤用支持軸２０２との相対的な位置が接近する。
【００４０】
このように吸盤２０１と吸盤用支持軸２０２との相対的な位置が接近したスタンド装置１０を設置すべき箇所に置き、連結用柱３０２の頂面を矢印Ｙで示す方向に押してスタンドカバー３０１を被吸着面（設置面）方向に変位させる。その結果、スタンドカバー３０１周縁の下縁３０８は吸盤２０１上面の最外周面２０９に当接する。同時に、弾性体４０１を形成するスプリングは、連結用柱３０２を押し下げることにより圧縮されてその弾発力でもって吸盤用支持軸２０２を押し下げる。これによって、吸盤２０１が被吸着面に密着してその部分の空気を排除すると共に、吸盤２０１の周縁の下面が設置面に強く密着される。
【００４１】
その後、図１８、図１９に示すように、連結用柱３０２を押し込んだ状態で、レバー４０７を押し下げてカム４０６を回動させる操作を行う。この操作によって、カム４０６の回動中心の支軸４０３が上方に変位して吸盤用支持軸２０２を上方に変位させる。従って、吸盤２０１の中央部分が被装着面から離れる方向に強制的に変位され吸引状態となる。そして、吸引ロック機構４０４はレバー４０７を最大に回動させることによりロック状態となる。
【００４２】
吸盤２０１の中央部分が被吸着面から強制的に離される距離は、吸盤２０１と吸盤用支持軸２０２との相対的な位置が予め接近して設定されているため大きい。そのため、吸引力が大きくなり吸盤２０１による吸着力は通常の場合よりも増加する。
【００４３】
従って、上述した本発明の一実施例のスタンド装置１０によれば、吸盤２０１は、従来技術と異なり連結用柱３０２を押し下げることによって積極的に押圧されるので、設置箇所の被吸着面に強く密着して空気を確実に排除する。そのため、次の吸引操作により得られる真空状態が確実になり、吸盤２０１が被吸着面に強固に吸着される。また、スタンド装置１０を長年使用することにより吸盤２０１の中央部分が凹んでしまったり、全体の形状がゆがんでしまった場合でも、この中央部分は積極的に押圧され大きく押し込まれるので、最終的には被吸着面との間に生じた間隙を吸収して被吸着面に密着させることができる。そのため、空気の排除は確実にできる。
【００４４】
しかも、吸盤用支持軸２０２は吸盤２０１に螺合部２０３によって連結されており吸盤２０１との相対的な位置を変更することができるので、吸盤２０１の被吸着面から離れる距離を変更して吸着力を増減することができる。その操作は、吸着力を減少させる場合は、雄ねじ２０８を雌ねじ２０７から抜き出す方向に吸盤２０１又はスタンド３０を回動させる方向に回動させればよい。一方、吸着力を増大させる場合は、雄ねじ２０８を雌ねじ２０７にねじ込む方向に吸盤２０１又はスタンド３０を回動させればよい。
【００４５】
このような簡単な操作によって、被吸着面が柔らかい素材で形成されている場合には、吸盤２０１を通常よりも小さい吸着力により被吸着面に吸着させることができる。従って、被吸着面に変形を生じさせることがない。その結果、被吸着面は常に平滑な面を保つことにより良好な吸着状態を維持させることができる。また、塗装処理などを施された被吸着面が損傷させることが防止できるので常に美観を保つことができる。
【００４６】
また、スタンド装置１０は傾いた被吸着面に設置する場合がある。この場合は上記螺合部２０３のねじ込み操作により吸着力を通常よりも増大させることができる。その結果、スタンド装置１０、携帯型ナビゲーション装置５０の重量によって吸盤２０１が傾いた吸着面から外れてしまうということがない。また、吸盤２０１が劣化してしまったっ場合にも吸着力を増大させることができるので常に良好な吸着状態が得られる。
【００４７】
また、吸盤２０１と被吸着面との間の空気をより一層確実に排出する場合は、雄ねじ２０８を雌ねじ２０７から抜き出す方向に回動して吸盤支持軸２０２と吸盤２０１との相対的な距離を大きく設定し、連結用柱３０２の頂部を押し下げスタンドカバー３０１を被吸着面方向に変位させる。その結果、吸盤２０１の中央部分が被吸着面に強く押されてその部分の空気を確実に排除する。
【００４８】
この状態で、スタンド装置１０を回動して雄ねじ２０８を雌ねじ２０７にねじ込み、吸盤用支持軸２０２と吸盤２０１との相対的な距離を小さくして固定レバー４０７を回動させてロックすれば、吸盤２０１の中央部分が大きく上方に変位され吸引力が増大される。従って、吸盤２０１は被吸着面との間の空気がより一層確実に排除され、しかも大きな吸引力によって被吸着面に吸着されるのでより一層確実な吸着状態となる。
【００４９】
また、吸引ロック機構４０４は、カム４０６が常にスタンドカバー３０１の上面３０９に当っているのでレバー４０７を初期の位置から不用に回動させてしまうことがない。そのため、レバー４０７の回動操作による吸盤２０１の吸引動作は確実に行われる。
【００５０】
なお、上記実施例においては、装着体としては携帯型ナビゲーション装置５０としたが、本発明はこれに限定されることなく携帯通信機器や携帯音楽再生装置、その他の各種電子機器などにも適用できる。
【００５１】
また、上記実施例においては、コイルスプリングからなる弾性体４０１を用いたが、本発明はこれに限定されることなく他の各種弾性部材を適用してもよい。
【符号の説明】
【００５２】
１０・・・・スタンド装置
２０・・・・吸着部
３０・・・・スタンド
４０・・・・操作部
５０・・・・携帯型ナビゲーション装置
２０１・・・吸盤
２０２・・・吸盤用支持軸
２０３・・・螺合部
２０４・・・突出片
２０５・・・貫通孔
２０６・・・支持体
２０７・・・雌ねじ
２０８・・・雄ねじ
２０９・・・最外周面
３０１・・・スタンドカバー
３０２・・・連結用柱
３０３・・・凹部
３０４・・・取付け部
３０５・・・連結アーム
３０６・・・被装着部
３０７・・・固定レバー
３０８・・・下縁
３０９・・・上面
４０１・・・弾性体
４０２・・・切り欠き部
４０３・・・支軸
４０４・・・吸引ロック機構
４０５・・・操作部カバー
４０６・・・カム
４０７・・・レバー
４０８・・・頂部
４０９・・・平坦周辺部
５０１・・・筐体
５０２・・・表示操作面
【図１】
2011137508.tif 000003
【図２】
2011137508.tif 000004
【図３】
2011137508.tif 000005
【図４】
2011137508.tif 000006
【図５】
2011137508.tif 000007
【図６】
2011137508.tif 000008
【図７】
2011137508.tif 000009
【図８】
2011137508.tif 000010
【図９】
2011137508.tif 000011
【図１０】
2011137508.tif 000012
【図１１】
2011137508.tif 000013
【図１２】
2011137508.tif 000014
【図１３】
2011137508.tif 000015
【図１４】
2011137508.tif 000016
【図１５】
2011137508.tif 000017
【図１６】
2011137508.tif 000018
【図１７】
2011137508.tif 000019
【図１８】
2011137508.tif 000020
【図１９】
2011137508.tif 000021